【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
光線療法で皮膚疾患を処置するシステムであって、
ａ）サーバーと、
ｂ）光線療法光源を含む光線療法装置と、
ｃ）処理装置、メモリ、送信機、および受信機を含む患者用のモバイルコンピュータ装置と、
ｄ）処理装置、メモリ、およびグラフィックユーザーインタフェースを含む、患者用のモバイルコンピュータ装置から離れている医師または他の医療従事者用のコンピュータ装置とを備え、
サーバーは患者用のモバイルコンピュータ装置と無線通信し、かつ、医師または他の医療従事者用のコンピュータ装置と通信するように構成され、
患者用のモバイルコンピュータ装置は、光線療法装置と通信するように構成され、
医師または他の医療従事者用のコンピュータ装置は、医師または他の医療従事者が１つ以上の条件的な処方パラメータを設定し、光線療法装置の操作に関する情報を精査し、１つ以上の条件的な処方パラメータを調整し、および前記サーバーへ１つ以上の条件的な処方パラメータを含む第１の通信を送信することを可能にする、グラフィックユーザーインタフェースを与えるように構成され、
患者用のモバイルコンピュータ装置はさらに、サーバーから第２の通信を受信するように構成され、
患者用のモバイルコンピュータ装置はさらに、１つ以上の条件的な処方パラメータを含む第１の信号を光線療法装置へ送信することによって患者が光線療法を開始することを許可するように構成され、および、光線療法装置は患者用のモバイルコンピュータ装置から第１の信号を受信するように構成され、
患者用のモバイルコンピュータ装置はさらに、光線療法装置の操作時または操作後に、サーバーに、患者による光線療法装置の起動を報告する第２の信号を送信するように構成され、光線療法装置は第２の信号を生成し、患者用のモバイルコンピュータ装置に第２の信号を無線送信するように構成され、および、
医師または他の医療従事者用のコンピュータ装置はさらに、サーバーによる第２の信号の受信後に、サーバーから第２の通信を受信するように構成され、第２の通信は患者による光線療法装置の起動を報告する、
システム。
【請求項２】
１つ以上の条件的な処方パラメータは、処置部位の数と位置、初回投与量、その後の投与量を決定する方法、処置を受け損なった日の調整を決定する方法、維持療法投与量、処置評価方法、処置評価頻度、患者用のモバイルコンピュータ装置が利用不可能な場合の処置パラメータ、外来診療または相談の終了に依存する処置の可能性、医師から供給される材料の認識に依存する装置の可能性、ユーザから供給される写真などの他の医師の要求の実現に依存する装置の可能性、および処置が無効にされる１つ以上の条件：の１つ以上を含む、請求項１に記載のシステム。
【請求項３】
サーバーは、患者記録と、条件的な処方パラメータを含む規定された処置プロトコルとのデータベースを含む、請求項１に記載のシステム。
【請求項４】
患者記録は、処置期日と回数、処置継続時間、適用された処置エネルギー、処置部位の写真、処置部位の写真の分析、患者／医師の対応関係、処置部位の評価、処置プロトコルの変化、または、これらの組み合わせを含む、請求項３に記載のシステム。
【請求項５】
サーバーはさらに、患者の母集団に関して患者記録、規定された処置プロトコル、および結果の分析を行うように構成される、請求項３に記載のシステム。
【請求項６】
サーバーはさらにコンピュータ分析を行うように構成される、請求項１に記載のシステム。
【請求項７】
コンピュータ分析は、皮膚の治療領域と周囲の皮膚組織の紅斑の程度の分析を含む、請求項６に記載のシステム。
【請求項８】
コンピュータ分析は、皮膚疾患または疾患のサイズと重症度を含む処置経過の分析を含む、請求項６に記載のシステム。
【請求項９】
サーバーは、ユーザの肌質、または光線療法装置のユーザの紅斑に対する罹患性に基づいて当初の光線療法投与量を決定するようにさらに構成される、請求項１に記載のシステム。
【請求項１０】
光線療法装置は携帯型の光線療法装置を含む、請求項１に記載のシステム。
【請求項１１】
光線療法光源は、３００−３２０ｎｍの範囲のＵＶＢ波長を含む光を放射するように構成される、請求項１に記載のシステム。
【請求項１２】
光線療法光源は発光ダイオード（ＬＥＤ）を含む、請求項１に記載のシステム。
【請求項１３】
患者用のモバイルコンピュータ装置はスマートフォンを含み、第１の信号は無線信号を含み、送信機は無線送信機を含み、および、受信機は無線受信機を含む、請求項１に記載のシステム。
【請求項１４】
患者用のモバイルコンピュータ装置は、患者が皮膚の治療領域と周囲の皮膚組織の画像を撮ることを可能にするインターフェースを与えるようにさらに構成される、請求項１に記載のシステム。
【請求項１５】
患者用のモバイルコンピュータ装置は、光線療法装置の操作のガイダンスを患者に提供するインターフェースを与えるようにさらに構成される、請求項１に記載のシステム。
【請求項１６】
患者用のモバイルコンピュータ装置は、処置スケジュール、処置上の注意喚起、光線療法装置の使用方法に関する指示、またはその任意の組み合わせを提供するインターフェースを与えるようにさらに構成される、請求項１に記載のシステム。
【請求項１７】
皮膚疾患は乾癬、尋常性白斑、または湿疹を含む、請求項１に記載のシステム。
【請求項１８】
グラフィックユーザーインタフェースは、医師または他の医療従事者が１つ以上の条件的な処方パラメータを設定し、および、オプションのリストから処置プロトコルを選ぶことによって１つ以上の条件的な処方パラメータを調整することを可能にする、請求項１に記載のシステム。
【請求項１９】
第２の通信は光線療法装置の患者の操作の報告と記録を含む、請求項１に記載のシステム。
【請求項２０】
医師または他の医療従事者用のコンピュータ装置は、第２の通信を受信し、光線療法装置の患者の操作の後にグラフィックユーザーインタフェースで第２の通信を表示する、請求項１９に記載のシステム。
【請求項２１】
乾癬、尋常性白斑、または湿疹を含む皮膚疾患を光線療法で処置するシステムであって、
該システムは、
ａ）３００−３２０ｎｍの範囲のＵＶＢ波長を含む光を放射するように構成された発光ダイオード（ＬＥＤ）光線療法光源と信号受信機とを含む携帯型の光線療法装置；
ｂ）サーバーと携帯型の光線療法装置と通信するように構成されたスマートフォンを含む患者用のモバイルコンピュータ装置であって、
スマートフォンは、処理装置、グラフィックユーザーインタフェース、メモリ、送信機、および受信機を含み、
患者用のモバイルコンピュータ装置は光線療法装置と通信するように構成され、
患者用のモバイルコンピュータ装置は、
ｉ．処置スケジュール、処置上の注意喚起、および光線療法装置の使用方法に関する指示を提供するグラフィックユーザーインタフェースを与え、
ｉｉ．１つ以上の条件的な処方パラメータを含む第１の信号を携帯型の光線療法装置へ無線送信することによって患者が光線療法を開始することを許可し、その結果、１つ以上の条件的な処方パラメータに従って光線療法装置の操作を可能にし、
ｉｉｉ．光線療法光源を起動し、および、
ｉｖ．光線療法装置の起動を報告する第２の信号をサーバーに送信する、
ように構成される、
患者用のモバイルコンピュータ装置；
ｃ）サーバーであって、
ｉ．患者の母集団に関して、患者記録、規定された処置プロトコル、および結果の分析を行い、
ｉｉ．コンピュータ分析を行い、
ｉｉｉ．ユーザの肌質または紅斑に対する罹患性に基づいて初期の光線療法投与量を決定し、
ｉｖ．皮膚の治療領域または周囲の皮膚の組織の紅斑の程度の分析を含む、皮膚の治療領域と周囲の皮膚の組織の画像の画像解析を使用して、その後の光線療法投与量を決定し、
ｉｖ．患者用のモバイルコンピュータ装置と医師または他の医療従事者用のコンピュータ装置と通信し、および、
ｖ．患者用のモバイルコンピュータ装置から第２の信号を受信する、
ように構成された、サーバー；
ｄ）サーバーに通信接続されたデータベースであって、患者記録と規定された処置プロトコルを保存するデータベース；および、
ｅ）サーバーと通信するように構成された医師または他の医療従事者用のコンピュータ装置であって、医師または他の医療従事者用のコンピュータ装置は、患者用のモバイルコンピュータ装置から離れており、かつ処理装置とメモリを含み、
医師または他の医療従事者用のコンピュータ装置は、
ｉ．医師または他の医療従事者が１つ以上の条件的な処方パラメータを入力し、または調整することを可能にするグラフィックユーザーインタフェースを表示し、
ｉｉ．１つ以上の条件的な処方パラメータを含む第１の通信をサーバーに送信し、および、
ｉｉｉ．光線療法装置の操作を報告する第２の通信をサーバーから受信する、
ように構成される医師または他の医療従事者用のコンピュータ装置、
を備える、システム。
【請求項２２】
グラフィックユーザーインタフェースは、医師または他の医療従事者が１つ以上の条件的な処方パラメータを設定し、および、オプションのリストから処置プロトコルを選ぶことによって１つ以上の条件的な処方パラメータを調整することを可能にする、請求項２１に記載のシステム。